(57)【要約】【課題】表示画像と本来の色との差異を低減して画像データを提供する。【解決手段】サーバ装置１４では、端末装置から画像表示が要求され、当該要求で指定された画像データ５２を端末装置へ提供する場合、プロファイル管理部３８により、ユーザにより指定された当該ユーザが操作している端末装置に備えられている表示装置に適した（当該表示装置の色再現性の特徴が記述された）プロファイルデータ５４をプロファイルＤＢ２４から取得する。そして、画像変換エンジン４０により、当該プロファイルデータ５４を用いて端末装置へ提供する画像データ５２を色変換し、色変換後の画像データ５２を送受信部３０から端末装置へ向けて送信する。端末装置では、ＷＷＷブラウザにより、この色変換後の画像データ５２に基づいて表示装置に画像が表示される。【選択図】　図３
2004127155.tif 000002
【特許請求の範囲】
【請求項１】
画像を表示するための表示手段を備えた端末装置とネットワークを介して接続され、前記端末装置へ画像データを提供する画像データ提供装置であって、
前記ネットワークを介して、前記表示手段の色表現特性を示すプロファイルデータを指定する指定情報を受信する受信手段と、
前記指定情報で指定されたプロファイルデータを取得する取得手段と、
前記取得手段により取得されたプロファイルデータに基づいて、前記画像データに基づく画像が前記表示手段により本来の色で表示されるべく当該画像データを色変換する変換手段と、
前記変換手段による色変換後の前記画像データを前記ネットワークを介して前記端末装置へ送信する送信手段と、
を有することを特徴とする画像データ提供装置。
【請求項２】
前記受信手段により受信した指定情報を登録する登録手段を更に備え、
前記取得手段は、前記登録手段による登録情報に基づいて、前記プロファイルデータを取得する、ことを特徴とする請求項１に記載の画像データ提供装置。
【発明の詳細な説明】
【０００１】
【発明の属する技術分野】
本発明は画像データ提供装置に係わり、特に、画像を表示するための表示手段を備えた端末装置とネットワークを介して接続され、前記端末装置へ画像データを提供する画像データ提供装置に関する。
【０００２】
【従来の技術】
従来より、ネットワークシステムにおいては、ネットワーク上のサーバ装置及び端末装置をそれぞれＷＷＷ（Ｗｏｒｌｄ　Ｗｉｄｅ　Ｗｅｂ）サーバ及びＷＷＷクライアントとして機能させ、サーバ装置では、指定されたデータを端末装置へと提供し、端末装置では、このデータをＷＷＷブラウザ（ソフトウェア）により表示することで、ユーザにサーバ装置が管理しているデータを閲覧可能にしている。
【０００３】
また、ネットワーク上のサーバ装置には、所謂画像サーバと称される、大量の画像データを蓄積管理し、ネットワークに接続した端末装置からの要求を受けて、要求された画像データを要求元の端末装置へと送信するものがある（例えば、特許文献１）。このようなサーバ装置をネットワーク上に設けておくことにより、サーバ装置の管理者にとっては多くのユーザに画像データを提供でき、且つユーザにとっては必要な画像データを必要なときにサーバ装置から取出すことができる。
【０００４】
ところで、モニタなどの表示手段は、機種毎に色表現特性に差があることが知られている。
【０００５】
【特許文献１】
特開２００１−９２９４５号公報
【０００６】
【発明が解決しようとする課題】
しかしながら、ＷＷＷブラウザではサーバ装置から提供された画像データをそのまま表示するため、従来技術では、端末装置のモニタには、本来の色とは異なる色で画像が表示されてしまうという問題があった。例えば、サーバ装置に商品の写真を示す画像データを蓄積管理し、ユーザが商品の写真を確認して注文することができるようにしたショッピングサイトでは、ユーザが端末装置からサーバ装置にアクセスし、ＷＷＷブラウザによりサーバ上の画像データを表示させて商品の写真を確認しても、表示された商品の色が実物と異なってしまう。
【０００７】
本発明は上記問題点を解消するためになされたもので、表示画像と本来の色との差異を低減して画像データを提供することができる画像データ提供装置を提供することを目的とする。
【０００８】
【課題を解決するための手段】
上記目的を達成するために、請求項１に記載の発明は、画像を表示するための表示手段を備えた端末装置とネットワークを介して接続され、前記端末装置へ画像データを提供する画像データ提供装置であって、前記ネットワークを介して、前記表示手段の色表現特性を示すプロファイルデータを指定する指定情報を受信する受信手段と、前記指定情報で指定されたプロファイルデータを取得する取得手段と、前記取得手段により取得されたプロファイルデータに基づいて、前記画像データに基づく画像が前記表示手段により本来の色で表示されるべく当該画像データを色変換する変換手段と、前記変換手段による色変換後の前記画像データを前記ネットワークを介して前記端末装置へ送信する送信手段と、を有することを特徴とするしている。
【０００９】
請求項１に記載の発明によれば、端末装置へ画像データを送信する場合に、受信手段により受信した指定情報で指定されたプロファイルデータが取得手段により取得され、変換手段により、この取得されたプロファイルデータに基づいて、送信対象の画像データに基づく画像が、端末装置側の表示手段において本来の色で表示されるように当該送信対象の画像データが色変換された後、送信手段により端末装置へと送信される。したがって、端末装置側で画像データを表示するために用いる表示手段に対応するプロファイルデータを指定し、当該指定結果を示す情報を指定情報として、画像データ提供装置へと送信すれば、端末装置には、当該表示手段において本来の色で表示されるように色変換された画像データが画像データ提供装置から提供される。端末装置では、この送信されてきた画像データをそのまま表示手段で表示するだけで、本来の色に近い色の表示画像を得ることができる。
【００１０】
なお、上記の画像データ提供装置においては、請求項２に記載されているように、前記受信手段により受信した指定情報を登録する登録手段を更に備え、前記取得手段は、前記登録手段による登録情報に基づいて、前記プロファイルデータを取得する、ようにするとよい。このように指定情報を登録可能とすることにより、画像データ提供装置から画像データの送信（提供）を受ける際に、毎回、プロファイルデータの指定せずともよく、ユーザの作業負担軽減効果がある。
【００１１】
【発明の実施の形態】
次に、図面を参照して本発明に係る実施形態の１例を詳細に説明する。
【００１２】
図１には、本発明の実施形態に係わるネットワークシステムの概略構成が示されている。図１に示すネットワークシステム１０では、ユーザが操作する端末装置（クライアント）１２と、画像データ提供装置としてのサーバ装置１４とが、それぞれモデム、ルータ、ＴＡ（Ｔｅｒｍｉｎａｌ　Ａｄａｐｔｅｒ）等の接続手段（図示省略）を介してインターネットやＬＡＮ（Ｌｏｃａｌ　Ａｒｅａ　Ｎｅｔｗｏｒｋ）などのネットワーク１６に有線又は無線で接続されており、端末装置１２及びサーバ装置１４は、ネットワーク１６を介して、相互に通信可能とされている。
【００１３】
端末装置１２及びサーバ装置１４は、このネットワーク１６を介した相互通信により、それぞれＷＷＷクライアント及びＷＷＷサーバとして機能するようになっている。
【００１４】
詳しくは、端末装置１２には、ＷＷＷ（Ｗｏｒｌｄ　Ｗｉｄｅ　Ｗｅｂ）ブラウザのソフトウェアがインストールされており、このＷＷＷブラウザを起動することにより、ネットワーク１６を介して、サーバ装置１４に任意にアクセス可能となる。このとき、アクセス位置（アクセス先のサーバ装置１４の位置、及び当該サーバ内の情報の位置で構成されるデータ）は、ＵＲＬ（Ｕｎｉｆｏｒｍ　Ｒｅｓｏｕｒｃｅ　Ｌｏｃａｔｏｒ）で指定される。
【００１５】
サーバ装置１４は、端末装置１２からアクセス要求があった場合、ネットワーク１６を介して、ＵＲＬで指定された位置にあるデータをアクセス元の端末装置１２へ送信する。このとき、データは、一般に、ＨＴＴＰ（Ｈｙｐｅｒ　Ｔｅｘｔ　Ｔｒａｎｓｆｅｒ　Ｐｒｏｔｏｃｏｌ）に従って送信される。端末装置１２では、ＷＷＷブラウザによって、ネットワーク１６を介して送信されてきたデータを解析して、各種画面や処理結果等を表示するために当該端末装置１２に備えられているモニタなどの表示装置１２Ａにウェブデータ（ホームページやウェブページ）を表示する。
【００１６】
また、サーバ装置１４は、アクセス元の端末装置１２によって所定の処理を実行するプログラムが指定された場合は、ＣＧＩ（Ｃｏｍｍｏｎ　Ｇａｔｅｗａｙ　Ｉｎｔｅｒｆａｃｅ）を利用して当該プログラムを実行し、その処理結果のデータをアクセス元の端末装置１２へ送信してディスプレイに表示させる。また、このＣＧＩを通して、ユーザが各種情報を入力するために端末装置１２に備えられているキーボード、マウス等の操作入力装置１２Ｂを操作することによって入力されたデータや各種指示を、当該端末装置１２からアクセス先のサーバ装置１４へ送信する。すなわちＣＧＩによって、インタラクティブなウェブデータの提供が可能となっている。
【００１７】
なお、端末装置１２には、表示装置１２Ａ及び操作入力装置１２Ｂを備えた一般的なパーソナルコンピュータを用いることができるため、詳細な説明は省略する。なお、端末装置１２には、パーソナルコンピュータ以外にも、ＰＤＡ（Ｐｅｒｓｏｎａｌ　Ｄａｔａ　Ａｓｓｉｓｔａｎｔｓ）、携帯電話などを用いることもできる。
【００１８】
また、サーバ装置１４には、ＣＰＵ、ＲＡＭ、ＲＯＭなどを備えた従来公知の一般的なサーバ装置を用いることができ、以下では、本発明に係わる部分のみ詳細に説明する。
【００１９】
サーバ装置１４は、図１に示すように、ユーザ情報５０（図２参照）を格納するためのデータベース（以下、「ユーザ情報ＤＢ」）２０と、画像データ５２（図２参照）を格納するための大容量のデータベース（以下、「画像ＤＢ」）２２、表示装置１２Ａのプロファイルデータ５４（図２参照）を格納するためのデータベース（以下、「プロファイルＤＢ」）２４と、を備えている。
【００２０】
ユーザ情報ＤＢ２０には、当該サーバ装置１４のサービスを利用可能な各ユーザについて、ログイン名（ユーザ名）及びパスワードなどの当該ユーザを識別するための情報は勿論のこと、当該ユーザにより予め指定されたプロファイルデータ５４の名称（以下、「指定プロファイル名」）がユーザ情報５０として予め登録されている。
【００２１】
ここで、一人のユーザが複数の端末装置１２を利用できる環境にある場合など、同一のユーザであっても複数種類の表示装置１２Ａが使用されることがある。このため、本実施の形態では、ユーザ情報５０には、当該ユーザの使用可能なプロファイルデータ５０として複数のプロファイル名を登録可能とし、最後に指定されたプロファイル名が指定プロファイル名として記録されるようになっている。
【００２２】
プロファイルＤＢ２４には、画像データの表示手段として機能する表示装置１２Ａの機種毎に用意され、当該表示装置の色再現性の特徴（色表現特性）を記述したプロファイルデータ５４が格納されている。このプロファイルデータ５４は、サーバ装置１４の管理者により予めプロファイルＤＢ２４に登録されている。また、ユーザがプロファイルデータ５４を新規に登録することも可能となっている。なお、本実施の形態では、プロファイルデータ５４は、ＩＣＣ（Ｉｎｔｅｒｎａｔｉｏｎａｌ　Ｃｏｌｏｒ　Ｃｏｎｓｏｒｔｉｕｍ）のプロファイルフォーマットに準拠している。
【００２３】
画像ＤＢ２２には、サーバ装置１４の管理者により各種の画像データ５２（例えば、ショッピングサイトで取り扱っている商品の写真を示す画像データ）が予め格納されている。
【００２４】
また、サーバ装置１４の内部メモリ（図示省略）には、各種のウェブデータやプログラムのデータが格納されている。サーバ装置１４は、ＣＰＵによってこれらのプログラムを適宜読み出して実行し、ハードウェア資源を利用して、図２に示すような機能が構築されるようになっている。なお、図２では、主に本発明に係わる機能を示している。
【００２５】
すなわち、サーバ装置１４には、図２に示すように、本発明の受信手段及び送信手段としての送受信部３０と、各種データ管理及びデータ処理を行うデータ処理部３２とが構築される。
【００２６】
送受信部３０は、ネットワーク１６を介して、端末装置１２から該サーバ装置１４へ向けて送信されてきた各種の要求や指定情報などを受信したり、前記各種の要求や情報を入力するための画面のデータ（ウェブデータ）を送信する。サーバ装置１４では、送受信部３０で受信した要求や指定情報に基づいて、データ処理部３２が動作するようになっている。
【００２７】
データ処理部３２は、ユーザ情報ＤＢ２０にアクセス可能とされ、ユーザ情報ＤＢ２０に格納されているユーザ情報５０を管理するユーザ管理部３４と、画像ＤＢ２２にアクセス可能とされ、画像ＤＢ２２に格納されている画像データ５２を管理する画像管理部３６と、プロファイルＤＢ２４にアクセス可能とされ、プロファイルＤＢ２４に格納されているプロファイルデータ５４を管理するプロファイル管理部３８と、画像データ５２を色変換するための画像変換エンジン４０とを備えている。
【００２８】
ユーザ管理部３４は、送受信部３０により端末装置からのログイン要求を受信した場合に、ログイン名及びパスワードによりユーザ認証を行なう。また、ユーザ管理部３４は、送受信部３０により端末装置１２からの画像の表示要求を受信した場合に、認証したユーザに対応するユーザ情報５０を参照し、当該ユーザ情報５０に記述されている指定プロファイル名をプロファイル管理部３８へ通知する。また、送受信部３０により受信した端末装置１２からの要求に応じて、ユーザッ情報５０で記述されている指定プロファイル名を変更することも可能となっている。すなわち、ユーザ管理部３４が本発明の登録手段として機能する。
【００２９】
画像管理部３６は、送受信部３０により端末装置１２からの画像の表示要求を受信した場合に、当該表示要求で指定されている画像データを画像ＤＢ２２から取出す。
【００３０】
プロファイル管理部３８は、ユーザ管理部３４から通知された指定プロファイル名（ユーザにより指定されたプロファイル名）に対応するプロファイルデータ５４をプロファイルＤＢ２４から取出す。すなわち、プロファイル管理部３８が本発明の取得手段に対応する。また、プロファイル管理部３８は、送受信部３０により受信した端末装置１２からの要求に応じて、プロファイルＤＢ２４に新たなプロファイルデータ５４を登録することも可能となっている。
【００３１】
画像変換エンジン４０は、本発明の変換手段として機能するものであり、画像管理部３６により取出された画像データ５２を、プロファイル管理部３８で取出されたプロファイルデータ５４に基づいて色変換する（所謂カラーマッチング）。この色変換により、表示装置１２Ａにおいて、本来の色で画像データ５２に基づく画像が表示されることになる。サーバ装置１４では、この画像変換エンジン４０による変換後の画像データ５２を、送受信部３０によりネットワーク１６を介して端末装置１２へ向けて送信する。
【００３２】
なお、画像変換エンジン４０で行われる色変換には、Ｒ（赤）Ｇ（緑）Ｂ（青）→Ｙ（イエロー）Ｍ（マゼンダ）Ｃ（シアン）Ｋ（ブラック）のように表色系を変換する処理や、同一の表色系において各色の成分値を変更する処理も含む。また、本実施の形態では、画像変換エンジン４０は、モニタなどの出力デバイスの種類によらず共通で利用することができるようになっている。すなわち画像変換エンジン４０は１つだけでよい。
【００３３】
また、本実施の形態では、画像変換エンジン４０では色変換のみを行う場合を説明するが、色変換に加えて、解像度変換、倍率変換、回転などの各種の画像処理を画像データ５２に対して施すことができるようにしてもよい。特に、解像度変換により画像データ５２を低解像度化すれば、端末装置１２へ送信する際の通信量の低減に効果がある。
【００３４】
次に、図３を参照して、本実施の形態の作用を説明する。なお、図３には、端末装置１２へ画像データ５２の提供するために行われるサーバ装置１４の処理が示されている。
【００３５】
ユーザは、画像ＤＢ２２に格納されている画像データ５２を閲覧したい場合、端末装置１２の操作入力装置１２Ｂを操作して、端末装置１２からサーバ装置１４にアクセスする。
【００３６】
サーバ装置１４では、端末装置１２からアクセスされると、図３に示されているように、まずステップ１００において、端末装置１２からのログイン名及びパスワードの入力を受け付ける。具体的に、本実施の形態では、一例として、図４に示すようなログイン画面のデータ（ウェブデータ）を端末装置１２に送信し、端末装置１２ではＷＷＷブラウザにより当該ログイン画面が表示装置１２Ａに表示されるようになっている。図４に示すように、このログイン画面には、ログイン名及びパスワードをそれぞれ入力するための入力欄２００、２０２と、ログイン要求を送信するための「ログイン」ボタン２０４とが設けられている。ユーザは、操作入力装置１２Ｂを操作して、入力欄２００に自分のログイン名、入力欄２０２にパスワードを入力して、「ログイン」ボタン２０４を選択（クリック）する。本例では、この「ログイン」ボタン２０４の選択を受けて、端末装置１２からサーバ装置１４へと、入力欄２００、２０２に入力されたログイン名及びパスワードを示す情報がネットワーク１６を介して送信されるようになっている。
【００３７】
このログイン名及びパスワードを示す情報は、サーバ装置１４の送受信部３０で受信され、サーバ装置１４では、送受信部３０によりこの情報を受信すると、図３の次のステップ１０２において、ユーザ管理部３４により、ユーザ認証を行なう。すなわち、端末装置１２で入力されたログイン名及びパスワードと、ユーザ情報ＤＢ２０に登録されている各ユーザ情報５０中のログイン名及びパスワードとを照合し、一致するものがあれば、当該一致したユーザ情報５０に該当するユーザであると判別する。なお、図３では省略しているが、端末装置１２で入力されたログイン名及びパスワードが何れのユーザ情報５０にも一致しなかった場合には、エラー処理、例えば、ログイン名及びパスワード再入力を促したり、ユーザ情報５０の登録を促すようにする。
【００３８】
ユーザは、このようにして、ユーザ認証されてサーバ装置１４にログインすると、画像ＤＢ２２内の画像データ５２を閲覧可能となる。ユーザは、端末装置１２の操作入力装置１２Ｂを操作して、所望の画像データ５２を指定して、当該画像データ５２の表示を要求（画像表示要求）する。
【００３９】
サーバ装置１４は、この端末装置１２からの画像表示要求を送受信部３０で受信すると、次のステップ１０４からステップ１０６に進み、画像管理部３６により、当該要求で指定されている画像データ５２を画像ＤＢ２２から取得する。続いて、ステップ１０８では、ユーザ管理部３４により、前述のステップ１０２で認証したユーザのユーザ情報５０、すなわち端末装置１２で入力されたログイン名及びパスワードと一致したユーザ情報５０を参照して、当該ユーザ情報５０に含まれているユーザの指定プロファイル名を取得する。そして、次のステップ１１０において、端末装置１２から指定変更の有無を判断する。
【００４０】
このとき、本実施の形態では、一例として、図５に示すようなプロファイル指定画面のデータ（ウェブデータ）を端末装置１２に送信し、端末装置１２ではＷＷＷブラウザにより当該プロファイル指定画面が表示装置１２Ａに表示されるようになっている。
【００４１】
図５に示すプロファイル指定画面では、プロファイル名を入力するための入力欄２１０と、指定変更要求として、サーバ装置１４に登録済みの当該ユーザが使用可能なプロファイルデータの中から選択して指定を変更することを要求するための「検索」ボタン２１２、及び新規のプロファイルデータに指定を変更することを要求するための「新規」ボタン２１４と、指定完了を示す情報を入力するための「指定」ボタン２１６と、指定中止を要求するための「キャンセル」ボタン２１８とが設けられている。また、初期状態では、入力欄２１０には、前述のステップ１０８で取得された指定プロファイル名が自動入力されて表示されるようになっている。
【００４２】
ユーザは、入力欄２１０に表示されている指定プロファイル名を確認して、自分が操作している端末装置１２の表示装置１２Ａに適した（当該表示装置１２Ａの色再現性の特徴が記述された）プロファイルデータ５４が指定されているか否かを判断する。そして、入力欄２１０に表示されている指定プロファイル名が、自分が操作している端末装置１２の表示装置１２Ａに適したプロファイルデータ５４の名称であれば、変更の必要は無いと判断し、そのまま「指定」ボタン２１６を選択（クリック）する。この選択により、端末装置１２からサーバ装置１４へ、入力欄２１９に入力されているプロファイル名を示す情報、すなわち、初期状態で自動入力されていた指定プロファイル名を示す情報が送信される。サーバ装置１４では、送受信部３０によりこの情報を受信すると、指定変更無しと判断して、図３のステップ１１０から後述のステップ１２２へと進む。
【００４３】
なお、図５の「キャンセル」ボタン２１８が選択された場合には、端末装置１２からサーバ装置１４へ中止要求が送信され、サーバ装置１４では、図３では省略しているが、送受信部３０によりこの中止要求を受信すると、ステップ１０４で受信した画像表示要求をキャンセルし、画像表示要求又はログアウトの待機状態となるようになっている。
【００４４】
一方、ユーザは、図５の入力欄２１９に表示されている指定プロファイル名が、自分が操作している端末装置１２の表示装置１２Ａに不適なプロファイルデータ５４の名称であるため変更の必要が有り、且つサーバ装置１４に登録済みの当該ユーザが使用可能なプロファイルデータ５４の中から選択したい場合には、操作入力装置１２Ｂの操作により、「検索」ボタン２１２を選択（クリック）する。この選択により、端末装置１２からサーバ装置１４へ、当該旨を示す指定変更要求が送信される。
【００４５】
サーバ装置１４では、送受信部３０によりこの指定変更要求を受信すると、図３のステップ１１０からステップ１１２を介してステップ１１４に進み、ユーザ管理部３４により、前述のステップ１０２で認証したユーザのユーザ情報５０、すなわち端末装置１２で入力されたログイン名及びパスワードと一致したユーザ情報５０を参照して、当該ユーザ情報５０に含まれているユーザが使用可能なプロファイルデータ５４の名称（プロファイル名）を取得し、次のステップ１１６で、取得したプロファイル名の中からの指定を受付ける。
【００４６】
このとき、本実施の形態では、一例として、図６に示すようなプロファイル選択画面のデータ（ウェブデータ）を作成して端末装置１２に送信し、端末装置１２ではＷＷＷブラウザにより当該プロファイル選択画面が表示装置１２Ａに表示されるようになっている。図６に示すプロファイル選択画面では、ステップ１１４で取得したプロファイルデータ５４の名称が、当該プロファイルデータ５４のＩＤと共に一覧表示したリスト２２０が設けられている。このリスト２２０には、各々のプロファイルデータ５４について、ラジオボタン２２２が設けられている。また、プロファイル選択画面には、選択完了を示す情報を入力するための「選択」ボタン２２４と、選択中止を要求するための「キャンセル」ボタン２２６とが設けられている。
【００４７】
ユーザは、リスト２２０に名称やＩＤが表示されたプロファイルデータ５４の中から所望のプロファイルデータ５４を選択し、操作入力装置１２Ｂの操作により、当該プロファイルデータ５４に対応するラジオボタン２２２をＯＮ状態にして、「選択」ボタン２２４を選択する。この選択により、端末装置１２では、図５に示したプロファイル指定画面の入力欄２１０に、選択されたプロファイルデータ５４の名称が自動的に入力されるようになっている。
【００４８】
ユーザは、入力欄２１０の表示が選択したプロファイルデータ５４の名称に変更されたことを確認したら、「指定」ボタン２１６を選択（クリック）する。この選択により、端末装置１２からサーバ装置１４へ、入力欄２１０に入力されているプロファイル名を示す情報、すなわち、ユーザにより選択されたプロファイルデータ５４の名称を示す情報が送信される。サーバ装置１４では、送受信部３０によりこの情報を受信すると、当該受信情報に基づいて、当該ユーザのユーザ情報５０に記載されている指定プロファイル名を変更する。サーバ装置１４は、このようにして端末装置１２からのプロファイル名の指定を受け付けて、指定プロファイル名を変更した後は、後述のステップ１２２へと進む。
【００４９】
なお、図６の「キャンセル」ボタン２２６が選択された場合には、端末装置１２からサーバ装置１４へ中止要求が送信され、サーバ装置１４では、図３では省略しているが、送受信部３０によりこの中止要求を受信すると、先に受信した指定変更要求をキャンセルし、ステップ１１０の指定変更の有無判定に戻るようになっている。
【００５０】
また、ユーザは、図５の入力欄２１０に表示されている指定プロファイル名が、自分が操作している端末装置１２の表示装置１２Ａに不適なプロファイルデータ５４の名称であるため変更の必要が有り、且つサーバ装置１４に未登録の新しいプロファイルデータ５４に変更したい場合には、操作入力装置１２Ｂの操作により、「新規」ボタン２１４を選択（クリック）する。この選択により、端末装置１２からサーバ装置１４へ、当該旨を示す指定変更要求が送信される。
【００５１】
サーバ装置１４では、送受信部３０によりこの指定変更要求を受信すると、図３のステップ１１０からステップ１１２を介してステップ１１８に進み、端末装置１２から新たなプロファイルデータ５４を受付け、受け付けたプロファイルデータ５４をプロファイルＤＢ２４に新規登録する。
【００５２】
このとき、本実施の形態では、一例として、図７に示すようなプロファイルアップロード画面のデータ（ウェブデータ）を端末装置１２に送信し、端末装置１２ではＷＷＷブラウザにより当該プロファイルアップロード画面が表示装置１２Ａに表示されるようになっている。図７に示すプロファイル選択画面では、新規登録するプロファイルデータ５４のファイル名を入力するための入力欄２３０と、登録（アップロード）を要求するための「アップロード」ボタン２３２と、登録中止を要求するための「キャンセル」ボタン２３４とが設けられている。
【００５３】
ユーザは、操作入力装置１２Ｂを操作して、所望のプロファイルデータ５４のファイル名（ディレクトリ構造など当該データが格納されている位置を示す情報を含めてもよい）を入力欄２３０に入力し、「アップロード」ボタン２３２を選択（クリック）する。この選択を受けて、端末装置１２では、入力欄２３０に入力されたファイル名のプロファイルデータ５４を読み出して、サーバ装置１４へと送信し、サーバ装置１４は、このプロファイルデータ５４を送受信部３０により受信し、受信したプロファイルデータ５４をプロファイル管理部３８によりプロファイルＤＢ２４に新規登録する。なお、新規登録するプロファイルデータ５４は、ユーザが操作している端末装置１２が備えている記憶装置内に記憶されているデータは勿論のこと、それ以外であっても、ネットワーク１６に接続された装置上のデータであればよい。
【００５４】
このようにプロファイルデータ５４の新規登録したら、サーバ装置１４は、図３の次のステップ１２０に進み、ユーザ管理部３４により、当該ユーザのユーザ情報５０に記載されている指定プロファイル名を前述のステップ１１８で新規登録したプロファイルデータ５４の名称に変更して、ステップ１２２へと進む。
【００５５】
なお、「キャンセル」ボタン２３４が選択された場合には、端末装置１２からサーバ装置１４へ中止要求が送信され、サーバ装置１４では、図３では省略しているが、送受信部３０によりこの中止要求を受信すると、先に受信した指定変更要求をキャンセルし、ステップ１１０の指定変更の有無判定に戻るようになっている。
【００５６】
ステップ１２２では、当該ユーザのユーザ情報５０に記載されている指定プロファイル名に従って、プロファイル管理部３８により、当該指定プロファイル名に対応するプロファイルデータ５４をプロファイルＤＢ２４から取得する。続いて、ステップ１２４では、画像変換エンジン４０により、前述のステップ１０６で取得した画像データ５２を前述のステップ１２２で取得したプロファイルデータ５４を用いて色変換する。そして、次のステップ１２６において、色変換後の画像データ５２を送受信部３０から端末装置１２へ向けて送信する。すなわち、端末装置１２には、指定された画像データ５２がユーザにより指定されたプロファイルデータを用いて色変換された後、提供されるようになっている。したがって、端末装置１２では、ＷＷＷブラウザにより、この提供された色変換後の画像データ５２に基づいて表示装置１２Ａに画像が表示されることになる。
【００５７】
その後、サーバ装置１４は、当該ユーザのログイン中は、次のステップ１２８からステップ１０４に戻り、同様の処理を繰返し、端末装置１２からログアウト要求の入力や物理的な通信切断などにより当該ユーザがログアウトしたら、図３の処理は終了する。
【００５８】
上記説明した如く本実施の形態に係わるサーバ装置１４では、端末装置１２から画像表示が要求され、当該要求で指定された画像データ５２を端末装置１２へ提供する際に、ユーザにより指定されたプロファイルデータ５４を取得し、当該プロファイルデータ５４により画像データ５２を色変換してから提供するようになっている。ユーザは、自分が操作している端末装置１２の表示装置１２Ａに対応するプロファイルデータ５４を指定すれば、端末装置１２には、当該表示装置１２Ａで本来の色で画像が表示されるように色変換された所望の画像データ５２がサーバ装置１４から送信されてくる。これにより、端末装置１２において、ＷＷＷブラウザにより、サーバ装置１４から提供を受けた画像データ５２を表示装置１２Ａに表示した際に、本来の色により近い色を再現することができる。すなわち、従来よりも、本来の色に忠実な画像表示が可能となる。
【００５９】
また、サーバ装置１４では、ユーザ情報５０にユーザにより前回指定されたプロファイルデータ５０の名称を指定プロファイル名として登録しておき、前回と同一のプロファイルデータ５０を用いる場合には、登録情報がそのまま用いることができ、前回と異なるプロファイルデータ５０を用いる場合にのみ、ユーザは指定変更の作業を行えばよい。すなわち、ユーザは、サーバ装置１４から画像データ５２の提供を受ける際に、毎回、プロファイルデータ５０を指定せずともよく、ユーザの作業負担を軽減することができる。
【００６０】
なお、上記では、サーバ装置１４に画像ＤＢ２２、プロファイルＤＢ２４、ユーザ情報ＤＢ２０が備えられている場合を例に説明したが、本発明はこれに限定されるものではなく、画像ＤＢ２２、プロファイルＤＢ２４、ユーザ情報ＤＢ２０はネットワーク１６上に備えられていればよい。すなわち、サーバ装置１４は、ユーザにより指定された画像データ５２をネットワーク１６に接続されている他の装置から受信（取得）するようにしてもよい。また、サーバ装置１４は、ユーザにより指定されたプロファイルデータ５４をネットワーク１６に接続されている他の装置から受信するようにしてもよい。また、ユーザ認証をネットワーク１６に接続されている他の装置により行ない、当該他の装置を介して、端末装置１２及びサーバ装置１４間の通信が行われるようにしてもよい。
【００６１】
また、上記では、ユーザ管理部３４によってユーザ毎に指定プロファイルを管理する場合を例に説明したが、本発明はこれに限定されるものではない。一般に、端末装置１２と表示装置１２Ａと１対１対応であり、各端末装置１２それぞれの表示装置１２Ａが変更されることは少ないので、端末装置１２をＩＰ（Ｉｎｔｅｒｎｅｔ　Ｐｒｏｔｏｃｏｌ）アドレスなどにより識別し、端末装置１２毎に指定プロファイルを管理するようにしてもよい。
【００６２】
【発明の効果】
上記に示したように、本発明は、表示画像と本来の色との差異を低減して画像データを提供することができるという優れた効果を有する。
【図面の簡単な説明】
【図１】本実施の形態に係わるネットワークシステムの構成図である。
【図２】本実施の形態に係わるサーバ装置の機能構成図である。
【図３】本実施の形態に係わるサーバ装置で実行される処理のフローチャートである。
【図４】ログイン画面の一例である。
【図５】プロファイル指定画面の一例である。
【図６】プロファイル選択画面の一例である。
【図７】プロファイルアップロード画面の一例である。
【符号の説明】
１０　ネットワークシステム
１２　端末装置
１２Ａ　　　　　　表示装置
１２Ｂ　　　　　　操作入力装置
１４　サーバ装置
１６　ネットワーク
２０　ユーザ情報データベース
２２　画像データベース
２４　プロファイルデータベース
３０　送受信部
３２　データ処理部
３４　ユーザ管理部
３６　画像管理部
３８　プロファイル管理部
４０　画像変換エンジン
５０　ユーザ情報
５２　画像データ
５４　プロファイルデータ
【図１】
2004127155.tif 000003
【図２】
2004127155.tif 000004
【図３】
2004127155.tif 000005
【図４】
2004127155.tif 000006
【図５】
2004127155.tif 000007
【図６】
2004127155.tif 000008
【図７】
2004127155.tif 000009